(57)【特許請求の範囲】
【請求項１】
窓上の壁下地に取り付けられるすだれ収納装置であって、すだれと、このすだれを収納可能なすだれ収納水切りと、このすだれ収納水切りを内側から支持する支持具とを備え、
前記すだれ収納水切りは、
壁下地に取付可能な水返し部と、
この水返し部の一端から斜めに延びる傾斜部と、
内側に前記すだれを出入り自在に収納するすだれ収納部とを有し、
前記支持具は、
前記すだれ収納水切りの裏面に当接し、前記すだれ水切りを支持する支持部と、
一端において前記支持部に接続され、壁下地に取付可能な固定部と、
この固定部の他端から前方斜め下方に向かって延設された誘い出し部とを有し、
前記すだれが、前記すだれ収納水切りのすだれ収納部に収納されていることを特徴とするすだれ収納装置。
【請求項２】
前記すだれ収納水切りにおいて対向して配置される一対の側端部に、とまりが嵌着されていることを特徴とする請求項１に記載のすだれ収納装置。
【請求項３】
前記支持具は、その内側に突出し、前記すだれを保持可能なすだれ保持部を有していることを特徴とする請求項１または２に記載のすだれ収納装置。
【請求項４】
前記すだれ収納水切りは、傾斜部の先端部から下方に延びる前面部を有し、前記支持部は、すだれ収納水切りの傾斜部の裏面に沿って当接する傾斜支持部と、すだれ収納水切りの前面部の裏面に沿って当接する前面支持部とを有していることを特徴とする請求項１から３のいずれか一項に記載のすだれ収納装置。
【請求項５】
前記前面部の下端部からは挟持部が延設されており、この挟持部は、前面部の下端部から内側上方に折り返す折り返し部と、この折り返し部の端部から前面部の裏面側へ屈曲する屈曲部とを有しており、
前記前面支持部の下端部は、前記挟持部に挿入されて保持されていることを特徴とする請求項４に記載のすだれ収納装置。
【請求項６】
請求項１に記載のすだれ収納装置の取付構造であって、前記すだれ収納水切りの水返し部が、窓上の壁下地と、この壁下地に取り付けられる外壁材との間に配置されて取り付けられているとともに、前記支持具の固定部が前記壁下地に取り付けられ、前記支持具の誘い出し部の先端部が、窓サッシの上枠の前方部より前方に位置していることを特徴とするすだれ収納装置の取付構造。
【発明の詳細な説明】
【技術分野】
【０００１】
本発明は、すだれ収納装置とその取付構造に関する。
【背景技術】
【０００２】
近年、省エネルギー化を図るための方法として、すだれを利用することが注目されている。住宅等の窓付近にすだれを設置して日差しを遮ることで、室内の温度上昇を抑制できると期待されている。
【０００３】
これに関連する技術として、例えば特許文献１では、建物外壁に設けられる雨除け用の庇本体に日除け機能をも備えさせた庇装置が提案されている。この庇装置は、その内部に日除けシートを収納し、必要に応じて日除けシートを引き出すことができる構造とされている。
【先行技術文献】
【特許文献】
【０００４】
【特許文献１】実開平１−１６３６２０号公報
【発明の概要】
【発明が解決しようとする課題】
【０００５】
しかしながら、特許文献１に記載された庇装置では、庇本体の先端下方から日除けシートを引き出す構造になっているため、日除けシートを窓の近くに配置することは考えられていない。日除けという遮光性を考慮すれば、日除けシートは、できるだけ窓の近くに配置する工夫が必要とされる。
【０００６】
一方、日除けシートを窓の近くに配置する場合、風雨を考慮して雨仕舞いを充実させることが肝要である。
【０００７】
本発明は、以上のとおりの事情に鑑みてなされたものであり、窓の上方に近接して取り付け可能であり、すだれを出入り自在に収納することができるすだれ収納装置およびその取付構造を提供することを課題としている。
【課題を解決するための手段】
【０００８】
上記の課題を解決するために、本発明のすだれ収納装置は、窓上の壁下地に取り付けられるすだれ収納装置であって、すだれと、このすだれを収納可能なすだれ収納水切りと、このすだれ収納水切りを内側から支持する支持具とを備え、前記すだれ収納水切りは、壁下地に取付可能な水返し部と、この水返し部の一端から斜めに延びる傾斜部と、内側に前記すだれを出入り自在に収納するすだれ収納部とを有し、前記支持具は、前記すだれ収納水切りの裏面に当接し、前記すだれ水切りを支持する支持部と、一端において前記支持部に接続され、壁下地に取付可能な固定部と、この固定部の他端から前方斜め下方に向かって延設された誘い出し部とを有し、前記すだれが、前記すだれ収納水切りのすだれ収納部に収納されていることを特徴としている。
【０００９】
このすだれ収納装置においては、前記すだれ収納水切りにおいて対向して配置される一対の側端部に、とまりが嵌着されていることが好ましい。
【００１０】
このすだれ収納装置においては、前記支持具は、その内側に突出し、前記すだれを保持可能なすだれ保持部を有していることがより好ましい。
このすだれ収納装置においては、前記すだれ収納水切りは、傾斜部の先端部から下方に延びる前面部を有し、前記支持部は、すだれ収納水切りの傾斜部の裏面に沿って当接する傾斜支持部と、すだれ収納水切りの前面部の裏面に沿って当接する前面支持部とを有していることがさらに好ましい。このすだれ収納装置においては、前記前面部の下端部からは挟持部が延設されており、この挟持部は、前面部の下端部から内側上方に折り返す折り返し部と、この折り返し部の端部から前面部の裏面側へ屈曲する屈曲部とを有しており、前記前面支持部の下端部は、前記挟持部に挿入されて保持されていることが一層好ましい。
【００１１】
本発明のすだれ収納装置の取付構造は、前記すだれ収納装置の取付構造であって、前記すだれ収納水切りの水返し部が、窓上の壁下地と、この壁下地に取り付けられる外壁材との間に配置されて取り付けられているとともに、前記支持具の固定部が前記壁下地に取り付けられ、前記支持具の誘い出し部の先端部が、窓サッシの上枠の前方部より前方に位置していることを特徴としている。
【発明の効果】
【００１２】
本発明のすだれ収納装置およびその取付構造によれば、窓の上方に近接して取付可能であり、すだれを出入り自在に収納することができる。また、建物壁面を伝って流下した雨水が窓に到達するのを抑制することができる。
【図面の簡単な説明】
【００１３】
【図１】本発明のすだれ収納装置とその取付構造の一実施形態を例示した断面図である。
【図２】本発明のすだれ収納装置におけるすだれ収納水切りの一実施形態を例示した部分斜視図である。
【図３】本発明のすだれ収納装置における支持具の一実施形態を例示した斜視図である。
【図４】本発明のすだれ収納装置のすだれ保持部に取り付け可能な、すだれ取付具の一実施形態を例示した斜視図である。
【図５】（Ａ）は、すだれ取付具を利用したすだれの保持形態を例示した斜視図であり、（Ｂ）は、すだれ取付具をすだれ保持部へ取り付ける方法を例示した斜視図である。
【図６】本発明のすだれ収納装置のすだれ収納水切りに取り付けられるとまりの一実施形態を例示した斜視図である。
【図７】とまりをすだれ収納水切りに取り付けた状態を例示した側面図である。
【発明を実施するための形態】
【００１４】
図１は、本発明のすだれ収納装置とその取付構造の一実施形態を例示した断面図である。図１において、窓の図示は省略している。図２は、本発明のすだれ収納装置におけるすだれ収納水切りの一実施形態を例示した斜視図である。図３は、本発明のすだれ収納装置における支持具の一実施形態を例示した斜視図である。
【００１５】
すだれ収納装置１は、すだれ２と、すだれ収納水切り３と、支持具４とを備え、これらが一体となった状態で、窓サッシの上枠５に近接した状態で壁下地Ｗに取り付けられている。窓サッシの上枠５は、壁下地Ｗの下方に位置する上方部５１と、この上方部５１の先端から略直角に下方へ延設された前方部５２とを有している。さらに、上方部５１には、上方へ立ち上がる起立片５１aが設けられ、起立片５１aは、壁下地Ｗの下方部を前面側から支持している。また、壁下地Ｗの前面には、防水シート６が配置されている。防水シート６の下端部６aは一段前方へ突出しており、窓サッシの上枠５の起立片５１aの前方側に当接している。
【００１６】
すだれ収納水切り３は、例えば、薄鋼板、塩化ビニル鋼板、アルミニウム材等の材料によって形成することができ、窓の横方向長さに略対応した長尺な部材として設計されている。
【００１７】
そして、図１および図２に例示したように、すだれ収納水切り３は、壁下地Ｗに取付可能な水返し部３１と、この水返し部３１の一端から斜めに延びる傾斜部３２と、内側にすだれ２を出入り自在に収納するすだれ収納部３５とを有している。
【００１８】
水返し部３１は、壁下地Ｗと、この壁下地Ｗに取り付けられる外壁材Ｓとの間に配置され、固定具Ｔによって、防水シート６を貫通して壁下地Ｗに取り付けられている。また、水返し部３１と防水シート６との間には、水密材Ｍが配設されている。水密材Ｍは、ＥＰＤＭ等を適宜使用することができる。固定具Ｔはネジ等の部材を適宜使用することができる。そして、水返し部３１の上端部３１aは折り曲げ加工されており、下端部３１bからは前方斜め下方向に傾斜部３２が延びている。すだれ収納水切り３は、水返し部３１が壁下地Ｗに取り付けられているため、外壁材Ｓの裏面や壁下地Ｗ、防水シート６を伝って流下した雨水を受けて、確実に傾斜部３２へ導くことができる。さらに、水返し部３１と防水シート６との間には、水密材Ｍが配設されているため、雨水が水返し部３１の裏面に浸入することが抑制されている。
【００１９】
傾斜部３２は、前方に向かって下方に傾斜しており、傾斜部３２の先端部３２aは窓サッシの上枠５の前方部５２よりも前方に位置している。そして、この傾斜部３２の先端部３２aからは下方に前面部３３が延びている。前面部３３の下端部３３aは、窓サッシの上枠５の前方部５２と略同じ高さに位置している。傾斜部３２および前面部３３の内側には、すだれを収納可能な空間として、すだれ収納部３５が形成されている。
【００２０】
傾斜部３２の傾斜角度は、１０°〜３０°程度であることが好ましく、これによって水返し部３１からの雨水を傾斜に沿って確実に導くことができる。また、傾斜部３２は、外壁材Ｓの表面を流下した雨水を受け止めることができる。傾斜部３２に沿って流れた雨水は、前面部３３の前方へ落下するか、あるいは前面部３３を伝って下方へ流し落とされるため、外壁材Ｓや壁下地Ｗを伝って流下した雨水が窓へ到達するのが抑制されている。また、前面部３３は、窓サッシの上枠５の前方部５２より前方に位置しているため、前面部３３から流れ落ちた雨水が窓に降りかかり難い構造となっている。
【００２１】
さらに、前面部３３の下端部３３aからは挟持部３４が延設されている。挟持部３４は、前面部３３の下端部３３aから内側上方に折り返す折り返し部３４aと、この折り返し部３４aの端部から前面部３３の裏面側へ屈曲する屈曲部３４bを有している。
【００２２】
支持具４は、長尺なすだれ収納水切り３の内部において、所定の間隔で複数配置される。支持具４の材料は、亜鉛メッキ鋼帯、アルミニウム材、ポリカーボネート樹脂等の材料によって形成することができる。そして、図１および図３に例示したように、支持具４は、すだれ収納水切り３の裏面に当接して支持する支持部４１と、壁下地Ｗに取付可能な固定部４２と、この固定部４２から延設された誘い出し部４３とを有している。
【００２３】
具体的には、支持部４１は、すだれ収納水切り３の傾斜部３２の裏面に沿って当接する傾斜支持部４１aと、すだれ収納水切り３の前面部３３の裏面に沿って当接する前面支持部４１bとを有している。傾斜支持部４１aと前面支持部４１bによって、すだれ収納水切り３の傾斜部３２と前面部３３が裏面側から支持され、すだれ収納水切り３の強度が向上している。さらに、傾斜支持部４１aと前面支持部４１bとの間の第１のコーナー部Ｃ１には第１の架橋部Ｂ１が設けられている。第１の架橋部Ｂ１は、傾斜支持部４１aの内面から前面支持部４１bの内面に亘って設けられ、傾斜支持部４１aと前面支持部４１bとの間の強度が補強されている。第１の架橋部Ｂ１は、第１のコーナー部Ｃ１付近の変形等を抑制するとともに、すだれ収納水切り３の強度を高めている。
【００２４】
前面支持部４１bの下端部４１１は、前面部３３の下端部３３aから延設された挟持部３４の内部に挿入されて保持されている。すだれ収納水切り３の挟持部３４は、折り返し部３４aから延設された屈曲部３４bを有しているため、前面支持部４１bの下端部４１１は、この屈曲部３４bとすだれ収納水切り３の前面部３３の裏面との間に確実に挟持されている。
【００２５】
固定部４２は、上端部４２aが支持部４１の傾斜支持部４１aの後方端部に接続しており、防水シート６を介して壁下地Ｗと対峙している。固定部４２は、ネジ等の固定具Ｔを挿入するための固定孔Ｈ１、Ｈ２が設けられており、この固定孔Ｈ１、Ｈ２から固定具Ｔを挿入することで、固定部４２が防水シート６を貫通して壁下地Ｗに取り付けられている。固定孔Ｈ２は、縦長に開口した形状であり、支持具４を壁下地Ｗに固定する位置（高さ）を調整することができるように設計されている。
【００２６】
また、固定部４２と傾斜支持部４１aの間の第２のコーナー部Ｃ２には、第２の架橋部Ｂ２が設けられている。第１の架橋部Ｂ１と同様に、第２の架橋部Ｂ２は、傾斜支持部４１aの内面から固定部４２の内面に亘って設けられ、第２の架橋部Ｂ２によって固定部４２と傾斜支持部４１aの間が補強されている。第２の架橋部Ｂ２は、第２のコーナー部Ｃ２付近の変形等を抑制するとともに、すだれ収納水切り３の強度を高めている。
【００２７】
さらに、固定部４２の下端部４２bからは前方斜め下方へ向かって誘い出し部４３が延設されている。誘い出し部４３は、先端部４３aが急勾配に屈曲しており、先端部４３aの先端が窓サッシの上枠５の前方部５２より前方に位置している。このため、仮に、すだれ収納水切り３の水返し部３１の裏面側から雨水が浸入した場合にも、雨水は、支持具４の固定部４２の裏面から誘い出し部４３へと導かれ、誘い出し部４３の先端部４３a付近から下方に雨水が流れ落ちる。すなわち、誘い出し部４３は、水切りとしての機能を有しており、すだれ収納水切り３の水返し部３１によって導水できなかった雨水が窓に到達するのが抑制される。
【００２８】
また、支持具４は、すだれ２を保持可能なすだれ保持部４４を有している。すだれ保持部４４は、支持部４１の傾斜支持部４１aの内側の略中央から下方に突出する突出部４４aと、この突出部４４aの先端で上方へ折り返す上向き部４４bとを備えたフック状に形成されている。したがって、すだれ保持部４４には、すだれ２を直接または間接的に取り付けることができる。すだれ保持部４４にすだれ２を間接的に取り付ける場合には、すだれ取付具７を介して取り付けることができる。
【００２９】
図４は、本発明のすだれ収納装置のすだれ保持部に取り付け可能な、すだれ取付具の一実施形態を例示した斜視図である。図５（Ａ）は、すだれ取付具を利用したすだれの保持形態を例示した斜視図であり、図５（Ｂ）は、すだれ取付具をすだれ保持部４４へ取り付ける方法を例示した斜視図である。
【００３０】
すだれ取付具７は、板状の係止部７１と、この係止部７1の一端から屈曲する中間部７２と、この中間部７２から突出する引っ掛け部７３と、この引っ掛け部７３から屈曲する取付部７４とを有している。
【００３１】
すだれ取付具７の係止部７1は、中央に、すだれ保持部４４の上向き部４４bが挿入可能な開口部７１aを有している。開口部７１aは、すだれ保持部４４の形状に対応した縦長の楕円形に形成されている。この開口部７１aの一方側からすだれ保持部４４の上向き部４４bを挿通させることで、すだれ取付具７をすだれ保持部４４に係止することができる。
【００３２】
すだれ取付具７の中間部７２は、一端が係止部７１の端部と接続しており、係止部７１に対して略直角に屈曲して形成されている。また、中間部７２の幅は、係止部７１の幅よりも大きく設計されている。中間部７２は、係止部７１側の端部７２１と対向する端部７２２付近の両側に突出片７２aが設けられている。そして、この突出片７２a同士の間には、中間部７２に対して略直角に突出する引っ掛け部７３が設けられている。
【００３３】
さらに、引っ掛け部７３の先端部７３aからは、係止部７１から離れる方向に取付部７４が延設されている。取付部７４の幅は、中間部７２よりも小さく設計されている。取付部７４は、中間部７２と略並行に延びる垂下部７４aと、この垂下部７４aの先端において中間部７２側へ折り返す、すだれ係合部７４bを備えている。また、中間部７２の突出片７２aと取付部７４の垂下部７４aの間には、引っ掛け部７３の突出長さに対応する空間Ｘが形成されている。さらに、図５（Ａ）に例示したように、すだれ２の上方部にすだれ係合部７４bを差し込むことで、すだれ取付具７にすだれ２を吊り下げることができる。
【００３４】
支持具４のすだれ保持部４４にすだれ２を取り付ける場合には、例えば、図５（Ｂ）に例示したような棒部材９を利用することができる。この棒部材９は、先端にＹ字状部９１が設けられている。Ｙ字状部９１は、横棒部９１aとこの横棒部９１aの両端から略直角方向に屈曲する縦棒部９１bを有している。横棒部９１aの長さは、支持具４の引っ掛け部７３の幅（突出方向と直交する方向の長さ）より大きく設計されている。このため、図４に示した支持具４の空間Ｘの下方から棒部材９の先端のＹ字状部９１を挿入することができる。棒部材９のＹ字状部９１を支持具４の引っ掛け部７３に当接させると、引っ掛け部７３は、縦棒部９１bの間に挟まれて保持される。このため、棒部材９によってすだれ取付具７を安定に支持した状態で持ち上げることができる。
【００３５】
例えば、図５（Ａ）に例示したように、すだれ取付具７にすだれ２を取り付けた後、図５（Ｂ）に例示したように、棒部材９で引っ掛け部７３を支持して持ち上げる。そして、図４に例示したように、窓上に設置された支持具４のすだれ保持部４４の上向き部４４bにすだれ取付具７の係止部７1の開口部７１aを挿通させる。これによって、支持具４のすだれ保持部４４にすだれ２を取り付けることができる。このとき、すだれ２は、広げられた状態で取り付けることもできるし、ロール状に巻かれた状態で取り付けることもできる。すだれ２は、例えば、ヨシを素材として編まれたものやシート状のものを含め、一般に市販されているものを適宜使用することができる。
【００３６】
そして、図１に例示したように、すだれ収納装置１は、すだれ収納水切り３の傾斜部３２と前面部３３の内側にすだれ収納部３５が形成されており、この内側にすだれ保持部４４を備えた支持具４が配置されている。このため、すだれ保持部４４を介して取り付けられたすだれ２は、すだれ収納水切り３の前面部３３と窓サッシの上枠５の前方部５２の間の空間から出入り自在となっている。したがって、すだれ使用時には、すだれ収納装置１からすだれ２を引き出して使用し、すだれ不使用時には、すだれ２を巻き上げてすだれ収納装置１のすだれ収納部３５にロール状にして収納することができる。そして、すだれ収納装置１は、窓のサッシの上枠５の上方に近接して取り付けられている。したがって、窓へ入射する日差しを遮るためには、例えば、窓の縦長さと同程度の長さのすだれ２を使用すればよい。さらに、すだれ収納装置１の支持具４は、固定部４２の下端部４２bから斜め下方向に延びる誘い出し部４３が設けられている。このため、すだれ２をすだれ収納装置１から引き出す際には、すだれ２が窓サッシの上枠５に引っ掛かり難く、使い勝手に優れている。
【００３７】
なお、すだれ２の引き出しや巻き上げには、すだれ巻き上げ機等を適宜使用することができる。例えば、すだれ巻き上げ機は、すだれ巻き上げ機から伸びる糸を、広げられたすだれ２の下方部を介してまわし掛け、この糸の先端を引っ張ることで、すだれ２を上方へ巻き上げる構造のものを例示することができる。
【００３８】
図６は、本発明のすだれ収納装置のすだれ収納水切りに取り付けられるとまりの一実施形態を例示した斜視図である。図６においては、支持具、壁下地、窓サッシの上枠および外壁材等の図示は省略している。図７は、とまりをすだれ収納水切りに取り付けた状態を例示した側面図である。また、図６および図７において図１および図２と同一の部分については、同一の符号を付し、説明は省略する。
【００３９】
すだれ収納水切り３には、対向して配置される一対の側端部３Ａ、３Ｂに、とまり８を嵌着することができる。とまり８は、平板部８１と、この平板部８１の外縁の一部から略直角方向に突出する嵌着部８２を有している。とまり８の材料としては、例えば、薄金属板曲げ品、薄金属板プレス成形品、樹脂射出成形品等を例示することができる。
【００４０】
とまり８の平板部８１の外縁は、後方縁８１１と、前方縁８１２と、上方縁８１３と、下方縁８１４とによって形成されている。後方縁８１１は、壁下地Ｗと対峙し、前方縁８１２は、この後方縁８１１と対向する。さらに、上方縁８１３は、後方縁８１１の上端と前方縁８１２の上端を結び、下方縁８１４は、後方縁８１１の下端と前方縁８１２の下端を結んでいる。そして、上方縁８１３は、すだれ収納水切り３の傾斜部３２に対応し、後方縁８１１側から前方縁８１２側へ向かって斜めに傾斜している。前方縁８１２は、すだれ収納水切り３の前面部３３に対応し、後方縁８１１と略平行に設計されている。さらに、下方縁８１４は、前方縁８１２の下端から略直角に後方縁８１１側へ向かい、後方縁８１１側で一段上がった段差部８３が形成されている。具体的には、この段差部８３は、下方縁８１４から上方縁８１３側へ略直角に立ち上がる起立部８３aと、この起立部８３aから略直角に曲がって後方縁８１１側へ向かう水平部８３ｂによって形成されている。
【００４１】
嵌着部８２は、傾斜嵌着部８２aと、前面嵌着部８２bと、下方嵌着部８２ｃとを有している。傾斜嵌着部８２aは、平板部８１の上方縁８１３から平板部８１に対して略直角方向に突出している。前面嵌着部８２bは、平板部８１の前方縁８１２から略直角方向に突出している。傾斜嵌着部８２aは、後方縁８１１側から前方縁８１２側へ向かって斜めに傾斜している。また、傾斜嵌着部８２aと前面嵌着部８２bとは、互いの端部で接続している。さらに、下方嵌着部８２ｃは、前方縁８１２側の下方縁８１４から、平板部８１に対して略直角方向に突出している。下方嵌着部８２ｃと、前面嵌着部８２bとは、互いの端部で接続している。
【００４２】
図６の矢印に示したように、すだれ収納水切り３の側端部３Ａ、３Ｂにおいて、とまり８を側方から押し込むと、傾斜嵌着部８２aの後方縁８１１側の端部８２１が、水返し部３１の下端部３１bの外側に嵌め込まれる。これと同時に、傾斜嵌着部８２aは、すだれ収納水切り３の傾斜部３２の外側に当接状態で嵌め込まれる。さらに、傾斜嵌着部８２aと前面嵌着部８２bとの接合部８２２は、傾斜部３２の先端部３２aの外側に嵌め込まれ、前面嵌着部８２bは、すだれ収納水切り３の前面部３３の外側に当接状態で嵌め込まれる。さらに、下方嵌着部８２ｃは、前面部３３の下端部３３aの外側に当接状態で嵌め込まれる。
【００４３】
また、とまり８をすだれ収納水切り３の側端部３Ａ、３Ｂに嵌着させると、図７に例示したように、平板部８１の段差部８３は、窓サッシの上枠５に嵌め込まれた状態となる。具体的には、平板部８１の段差部８３を形成する起立部８３aに、窓サッシの上枠５の前方部５２が対峙し、段差部８３を形成する水平部８３bに、窓サッシの上枠５の上方部５１が対峙する。このように、とまり８は、すだれ収納水切り３の側端部３Ａ、３Ｂを全体に亘って覆っているため、内部に配置された支持具４を含めたすだれ収納水切り３の内部が側方から露出することがない。したがって、とまり８をすだれ収納水切り３の側端部３Ａ、３Ｂに嵌着させることで、施工後の意匠性が向上するとともに、すだれ収納水切り３のすだれ収納部３５に収納されたすだれが雨に曝される恐れがない。
【００４４】
なお、本発明のすだれ収納装置およびその取付構造は、以上の形態に限定されることはない。
【符号の説明】
【００４５】
１    すだれ収納装置
２    すだれ
３    すだれ収納水切り
３１  水返し部
３２  傾斜部
３５  すだれ収納部
４    支持具
４１  支持部  
４２  固定部
４３  誘い出し部
４４  すだれ保持部
５    窓サッシの上枠
５２  前方部
８    とまり
Ｗ    壁下地
Ｓ    外壁材
【図１】
0005620251.tif 000002
【図２】
0005620251.tif 000003
【図３】
0005620251.tif 000004
【図４】
0005620251.tif 000005
【図５】
0005620251.tif 000006
【図６】
0005620251.tif 000007
【図７】
0005620251.tif 000008